(57)【要約】【課題】オリジナルの原稿の印刷品質を低下させることなくオリジナルの原稿及びその二次転写物の転写の許可、課金等の管理を行うことが可能な転写管理システムを提供する。【解決手段】画像読取手段が転写元の原稿上の画像情報を読み取る。無線タグ情報読取手段は、転写元の原稿に無線タグが付加されている場合に、その無線タグに記録された転写管理情報を読み取る。また、印刷情報読取手段は、転写元の原稿に転写管理情報が印刷されている場合に、その印刷された転写管理情報を読み取る。転写管理情報生成手段は、転写管理情報が読み取られた場合、転写管理情報に基づいて、転写先の原稿についての新たな転写管理情報を生成する。転写画像生成手段は、転写管理情報を、前記画像読取手段により読み取られた画像に画像情報として付加して、転写画像を生成する。印刷手段は、転写画像を転写先の印刷媒体に印刷する。【選択図】図１
2008059213.tif 000002
【特許請求の範囲】
【請求項１】
転写元の原稿上の画像情報を読み取り転写先の印刷媒体に印刷するとともに、転写元の原稿上の画像情報に関する転写管理情報の転写、変換、又は生成、及び転写先の原稿への付加を行う転写管理システムであって、
転写元の原稿上の画像情報を読み取る画像読取手段と、
前記転写元の原稿に無線タグが付加されている場合に、その無線タグに記録された転写管理情報を読み取る無線タグ情報読取手段と、
前記転写元の原稿に転写管理情報が印刷されている場合に、その印刷された転写管理情報を読み取る印刷管理情報読取手段と、
前記無線タグ情報読取手段又は前記転写管理情報読取手段が読み取る転写管理情報を、前記画像読取手段により読み取られた画像に画像情報として付加して、転写画像を生成する転写画像生成手段と、
前記転写画像を転写先の印刷媒体に印刷する印刷手段と、
を備えた転写管理システム。
【請求項２】
前記無線タグ情報読取手段又は前記印刷管理情報読取手段により前記転写管理情報が読み取られた場合、前記転写管理情報に基づいて、転写先の原稿についての新たな転写管理情報を生成する転写管理情報生成手段を備え、
前記転写画像生成手段は、転写管理情報生成手段が生成する転写管理情報を、前記画像読取手段により読み取られた画像に画像情報として付加して、転写画像を生成することを特徴とする請求項１記載の転写管理システム。
【請求項３】
前記無線タグ情報読取手段又は前記印刷管理情報読取手段により前記転写管理情報が読み取られた場合、前記転写管理情報に含まれる識別ＩＤに基づき、識別ＩＤを含む著作物の転写利用に関する情報である転写利用情報の生成を行う転写利用情報生成手段と、
前記転写利用情報を記憶する転写利用情報記憶手段と、
を備えたことを特徴とする請求項１又は２記載の転写管理システム。
【請求項４】
前記転写画像生成手段は、前記転写管理情報を、前記画像読取手段により読み取られた画像に透かしデータとして付加して、転写画像を生成することを特徴とする請求項１乃至３の何れか一記載の転写管理システム。
【請求項５】
前記転写管理情報生成手段は、前記無線タグ情報読取手段又は前記印刷管理情報読取手段により読み取られた前記転写管理情報に含まれる識別ＩＤに、新たに転写の情報を付加して新たな識別ＩＤを生成し、当該新たな識別ＩＤを含む、転写先の原稿についての新たな転写管理情報を生成することを特徴とする請求項２記載の転写管理システム。
【請求項６】
（課金システム）
【請求項７】
転写元の原稿上の画像情報を読み取り転写先の印刷媒体に印刷するとともに、転写元の原稿上の画像情報に関する転写管理情報の転写、変換、又は生成、及び転写先の原稿への付加を行う転写管理方法であって、
転写元の原稿上の画像情報を読み取る画像読取工程と、
前記転写元の原稿に無線タグが付加されている場合に、その無線タグに記録された転写管理情報を読み取る無線タグ情報読取工程と、
前記転写元の原稿に転写管理情報が印刷されている場合に、その印刷された転写管理情報を読み取る印刷情報読取工程と、
前記無線タグ情報読取工程又は前記印刷情報読取工程において読み取られる前記転写管理情報を、前記画像読取工程において読み取られた画像に画像情報として付加して、転写画像を生成する転写画像生成工程と、
前記転写画像を転写先の印刷媒体に印刷する印刷工程と、
を備えた転写管理方法。
【請求項８】
前記無線タグ情報読取工程又は前記印刷情報読取工程において前記転写管理情報が読み取られた場合、前記転写管理情報に基づいて、転写先の原稿についての新たな転写管理情報を生成する転写管理情報生成工程を備え、
前記転写画像生成工程においては、前記転写管理情報生成工程において生成される転写管理情報を、前記画像読取工程において読み取られた画像に画像情報として付加して、転写画像を生成することを特徴とする請求項６記載の転写管理方法。
【請求項９】
前記無線タグ情報読取工程又は前記印刷情報読取工程において前記転写管理情報が読み取られた場合、前記転写管理情報に含まれる識別ＩＤに基づき、著作物の転写利用に関する情報である転写利用情報の生成を行う転写利用情報生成工程と、
前記転写利用情報を転写利用情報記憶手段に保存する転写利用情報記録工程と、
を備えたことを特徴とする請求項６又は７記載の転写管理方法。
【請求項１０】
前記転写画像生成工程においては、前記転写管理情報生成工程において生成される前記新たな転写管理情報を、前記画像読取手段により読み取られた画像に透かしデータとして付加して、転写画像を生成することを特徴とする請求項６乃至８の何れか一記載の転写管理方法。
【請求項１１】
前記転写管理情報生成工程においては、前記無線タグ情報読取工程又は前記印刷情報読取工程において読み取られた前記転写管理情報に含まれる識別ＩＤに、新たに転写の情報を付加して新たな識別ＩＤを生成し、当該新たな識別ＩＤを含む、転写先の原稿についての新たな転写管理情報を生成することを特徴とする請求項７記載の転写管理方法。
【請求項１２】
コンピュータに読み込ませて実行することにより、コンピュータを請求項１乃至５の何れか一に記載の転写管理システムとして機能させることを特徴とするプログラム。
【発明の詳細な説明】
【技術分野】
【０００１】
本発明は、高い表示品質が要求される文書（図版も含む。以下同じ。）の転写に際し、その転写の許可、課金等の管理が可能な転写管理システムに関する。
【背景技術】
【０００２】
近年、転写技術の発達に伴い、コピー機やスキャナ及びプリンタなどを使用して、紙等の媒体に印刷された文書を精密に転写することが極めて容易となっている。それに伴い、文書の著作権の侵害や機密文書の不正コピー等が問題となっている。そのため、著作権の保護や機密文書の複製を防止するための種々の機能を備えた転写管理システムが考案されている（例えば、特許文献１〜３参照）。
【０００３】
特許文献１に記載の情報処理装置は、書き換え可能なＲＦＴＤタグ（以下「無線タグ」という。）が埋め込まれた原稿を用いて転写管理を行う。まず、スキャナで原稿を読み取る際に、スキャナが無線タグに格納されている「世代情報」及び「枚数情報」を読み出す。ここで、「世代情報」は、（ａ）オリジナルデータに対する原稿のコピー世代を表すコピー世代情報、及び（ｂ）コピーを許可する最大世代を表す最大世代情報から構成される。また、「枚数情報」は、（ｃ）累積コピー枚数、及び（ｄ）最大コピー枚数から構成される。
【０００４】
スキャナは、コピー世代情報と最大世代情報とを比較して、コピー世代が最大世代を越えた場合には、転写を禁止する。また、累積コピー枚数と最大コピー枚数とを比較して、累積コピー枚数が最大コピー枚数を超過した場合には、転写を禁止する。コピー世代が最大世代を超過せず且つ累積コピー枚数が最大コピー枚数を超過しない場合には、転写を行う。その際に、コピー世代を１だけ増加するとともに、転写枚数に応じて累積コピー枚数を増加させて、「世代情報」及び「枚数情報」を転写原稿に埋め込まれた無線タグに記録する。
【０００５】
このように、特許文献１に記載の情報処理装置は、原稿に埋め込まれた無線タグから、原稿画像の属性情報を読み出して、その属性情報に応じて転写システムの動作を制限することで、情報の機密性を高めたり、転写による著作権の侵害を防止したりすることを可能としている。
【０００６】
また、特許文献２には、著作権の管理と、著作権料の徴収を行うことが可能な課金システムが記載されている。この課金システムでは、まず、転写の対象となる著作物に、バーコード，透かしデータ，特定パターン，無線タグなど（以下「著作物情報記録手段」という。）を付し、これらの著作物情報記録手段により、転写の対象となる著作物（出力対象）を特定するための情報、及び実際に転写されるページなどの著作物の一部又は全部（出力対象部分）を特定するための情報を、当該著作物に記録しておく。
【０００７】
著作物の転写の際に、転写機は、著作物情報記録手段に記録された情報を読み取り、ネットワークを通して、その著作物が登録されたデータベースを参照する。そして、課金情報が生成され、当該課金情報は、課金データベースに記録される。そして、課金データベースに記録された課金情報に応じて、利用者に著作権料の請求を行うことができるようにしている。
【０００８】
また、特許文献３には、出版物やデータ等に対する不正な再版やコピーを防止するための著作権管理システムが記載されている。この著作権管理システムでは、転写対象となる印刷物に無線タグを埋め込んでおき、無線タグに、著作物の識別情報を記憶させておく。転写装置は、転写対象となる印刷物をスキャンすると、無線タグから識別情報を読み取る。そして、当該識別情報に基づいて、ネットワークを通じて、著作権管理サーバに転写可能か否かを問い合わせ、転写の可否を決定する。著作権管理サーバが、転写禁止の情報を送信した場合には、当該印刷物の転写を行わない。これにより、不正な再版やコピーを防止することができる。
【０００９】
【特許文献１】特開２００５−１４８２４０号公報
【特許文献２】特開２００５−１８２４４２号公報
【特許文献３】特開２００５−３１７９１号公報
【発明の開示】
【発明が解決しようとする課題】
【００１０】
上述の特許文献２，３に記載の転写管理システムにおいては、転写元の原稿に埋め込まれた無線タグの著作権管理情報を読み出して、転写の可否の判定や著作権料の徴収を行うように構成されている。この場合、転写元の原稿から転写を行う限りにおいては、これらの転写管理システムは有効に機能する。しかしながら、転写元の原稿を転写することにより得られた原稿（以下「二次転写物」という。）には著作権管理情報はコピーされない。そのため、二次転写物を再度転写する場合には、この転写管理システムは有効に機能しないという問題がある。
【００１１】
また、特許文献２において、著作権管理情報をバーコード等の画像情報として記録しておけば、転写先の原稿に著作権管理情報が転写され、二次転写物においても著作権管理を行うことができる。しかし、悪意の使用者がバーコードを隠して転写した場合には、転写装置は著作権管理情報を読み出すことができないため、著作権料の課金等を行うことができない。また、透かしデータのように、転写元の原稿の一部分又は全体に著作権管理情報を分散させて記録し、使用者が著作権管理情報を隠蔽して転写することを防止することも考えられる。しかしながら、オリジナルの原稿に著作権管理情報を分散させて印刷した場合、著作権管理情報が黒点などとして原稿内に表示されるため、オリジナルの原稿の画質が低下せざるを得ないという問題がある。特に、高度画質が要求される地図などの人工画像の著作物などにおいては、オリジナルの原稿に著作権管理情報を印刷情報として記録することは、商品の品質が低下するため好ましくない。
【００１２】
一方、上述の特許文献１の転写管理システムにおいては、転写元である原稿に埋め込まれた無線タグの情報を読み出して、著作権管理等の情報の分析・加工を行い、新たに生成した著作権管理等の情報を転写先の原稿に埋め込まれた無線タグに記録することで、転写先の原稿（二次転写物）においても著作権等の管理を行うことができるようにしたものである。この場合、二次転写物には、転写元の著作権管理等の情報が伝達されるため、二次転写物を再度転写する場合にも著作権等の管理を行うことができる。また、著作権管理等の情報は、無線タグに電子情報として記録されるため、オリジナルの原稿の印刷品質の低下等の問題も生じない。
【００１３】
しかしながら、この特許文献１の転写管理システムで転写を行う場合、使用者は無線タグが埋め込まれた専用の転写用紙を使用することが要求される。従って、通常の転写に比べてコストが高くなる。また、任意の転写媒体（例えば、市販のＯＨＰシート等）に転写することができないため、転写における利便性も低下するという問題もある。
【００１４】
そこで、本発明の目的は、オリジナルの原稿の印刷品質を低下させることなくオリジナルの原稿及びその二次転写物の転写の許可、課金等の管理を行うことが可能な転写管理システムを提供することにある。
【課題を解決するための手段】
【００１５】
本発明に係る転写管理システムの第１の構成は、転写元の原稿上の画像情報を読み取り転写先の印刷媒体に印刷するとともに、転写元の原稿上の画像情報に関する転写管理情報の生成及び転写先の原稿への付加を行う転写管理システムであって、
転写元の原稿上の画像情報を読み取る画像読取手段と、
前記転写元の原稿に無線タグが付加されている場合に、その無線タグに記録された転写管理情報を読み取る無線タグ情報読取手段と、
前記転写元の原稿に転写管理情報が印刷されている場合に、その印刷された転写管理情報を読み取る印刷管理情報読取手段と、
前記無線タグ情報読取手段又は前記転写管理情報読取手段が読み取る転写管理情報を、前記画像読取手段により読み取られた画像に画像情報として付加して、転写画像を生成する転写画像生成手段と、
前記転写画像を転写先の印刷媒体に印刷する印刷手段と、を備えたことを特徴とする。
【００１６】
この構成によれば、オリジナルの原稿については、無線タグに転写管理情報を記録しておくことで、当該原稿の転写管理を行うことが可能となる。また、オリジナルの原稿には、無線タグとして転写管理情報が埋め込まれるため、転写管理情報の付加によるオリジナルの原稿の印刷品質の低下が生じることはない。
【００１７】
一方、転写物には、転写管理情報が画像情報として付加される。これにより、転写先の印刷媒体に無線タグが埋め込まれていない場合であっても、転写管理情報を転写先の原稿に印刷情報として付加することができる。従って、転写先の印刷媒体の種類が限定されることが無く、転写を行う利用者の利便性に優れる。
【００１８】
ここで、「転写管理情報」とは、原稿に印刷された画像情報の転写管理を行うために必要な情報をいう。転写管理情報は、例えば、透かしデータで印刷したり、微細な転写管理情報を複数紙面上に多数分散して印刷したりすることで、容易に不正が行われないように印刷することができる。
【００１９】
「転写利用情報」とは、著作物の転写利用に関する情報をいい、例えば、識別ＩＤで特定されるその著作物の転写数、転写元の原稿の識別ＩＤ、転写先の原稿の識別ＩＤ、転写により課金される著作権料の金額などの情報をいう。
【００２０】
本発明に係る転写管理システムの第２の構成は、前記第１の構成において、前記無線タグ情報読取手段又は前記印刷管理情報読取手段により前記転写管理情報が読み取られた場合、前記転写管理情報に基づいて、転写先の原稿についての新たな転写管理情報を生成する転写管理情報生成手段を備え、
前記転写画像生成手段は、転写管理情報生成手段が生成する転写管理情報を、前記画像読取手段により読み取られた画像に画像情報として付加して、転写画像を生成することを特徴とする。
【００２１】
この構成によれば、転写管理情報生成手段は、転写元の原稿から読み取られた転写管理情報をそのまま転写先の印刷媒体に付加するのではなく、当該転写管理情報に基づいて新たに転写管理情報を生成してこれを転写先の印刷媒体に付加する。従って、新たな転写管理情報を生成する際に、転写元の原稿の情報や転写回数の情報などを新たな転写管理情報に埋め込むことができ、より高度な転写管理、例えば、転写回数に応じた課金や転写元のトレースなどを行うことが可能となる。
【００２２】
また、転写管理情報を辿ることによって転写された原稿がオリジナルの原稿から何回転写を繰り返して得られたものかを検査することができる。従って、転写が繰り返された回数に応じて、転写単価を変えて課金する等の処理を行うことも可能となる。
【００２３】
本発明に係る転写管理システムの第３の構成は、前記第１又は２の構成において、前記無線タグ情報読取手段又は前記印刷管理情報読取手段により前記転写管理情報が読み取られた場合、前記転写管理情報に含まれる識別ＩＤに基づき、識別ＩＤを含む著作物の転写利用に関する情報である転写利用情報の生成を行う転写利用情報生成手段と、
前記転写利用情報を記憶する転写利用情報記憶手段と、
を備えたことを特徴とする。
【００２４】
この構成により、転写利用情報記憶手段に保存された転写利用情報を参照することにより、転写元の原稿上の転写利用の量（転写が行われた回数等）を把握することができる。従って、転写利用の量に応じて著作権料の課金をしたり、転写数の制限を行うことによって、オリジナルの原稿又はそれを転写した原稿上に印刷された著作物の管理を行うことができる。
【００２５】
本発明に係る転写管理システムの第４の構成は、前記第１乃至３の何れか一の構成において、前記転写画像生成手段は、前記転写管理情報を、前記画像読取手段により読み取られた画像に透かしデータとして付加して、転写画像を生成することを特徴とする。
【００２６】
この構成により、転写管理情報は透かしデータとして転写先の原稿に付加されるため、転写管理情報のみを隠蔽して転写を行うことはできない。従って、転写先の原稿を更に転写する際にも、転写管理情報による著作物の転写管理が可能となることが補償される。
【００２７】
ここで、「透かしデータ」は、地紋透かし（印刷対象データの余白領域に、意味を持たせた微細なドットパターンを描画することにより、紙面全体に任意の情報を埋め込むことを可能とする電子透かし技術）や二値画像電子透かし（白黒データ（二値画像）に対して、白黒反転を用いてデータ自体に微弱な改変を施すことで情報を埋め込んで識別を可能とする技術）などの各種電子透かし技術を用いて作成することができる。
【００２８】
本発明に係る転写管理システムの第５の構成は、前記第２の構成において、前記転写管理情報生成手段は、前記無線タグ情報読取手段又は前記印刷管理情報読取手段により読み取られた前記転写管理情報に含まれる識別ＩＤに、新たに転写の情報を付加して新たな識別ＩＤを生成し、当該新たな識別ＩＤを含む、転写先の原稿についての新たな転写管理情報を生成することを特徴とする。
【００２９】
このように、転写元の原稿に付加された転写管理情報に含まれる識別ＩＤに、新たに転写の情報を付加して新たな識別ＩＤを生成することで、新たな識別ＩＤを見れば転写元の識別ＩＤを知ることができる。これにより、転写先の原稿に対する転写元の原稿を識別することが可能となる。従って、オリジナルの原稿に対して転々と転写が行われた場合でも、転写先の原稿から転写元の原稿を辿ることが可能となるため、不正な転写が行われていないかどうかを後で検証することが可能となる。
【００３０】
本発明に係る転写管理方法の第１の構成は、転写元の原稿上の画像情報を読み取り転写先の印刷媒体に印刷するとともに、転写元の原稿上の画像情報に関する転写管理情報の生成及び転写先の原稿への付加を行う転写管理方法であって、
転写元の原稿上の画像情報を読み取る画像読取工程と、
前記転写元の原稿に無線タグが付加されている場合に、その無線タグに記録された転写管理情報を読み取る無線タグ情報読取工程と、
前記転写元の原稿に転写管理情報が印刷されている場合に、その印刷された転写管理情報を読み取る印刷情報読取工程と、
前記新たな転写管理情報を、前記画像読取工程において読み取られた画像に画像情報として付加して、転写画像を生成する転写画像生成工程と、
前記転写画像を転写先の印刷媒体に印刷する印刷工程と、を備えたことを特徴とする。
【００３１】
本発明に係る転写管理方法の第２の構成は、前記第１の構成において、前記無線タグ情報読取工程又は前記印刷情報読取工程において前記転写管理情報が読み取られた場合、前記転写管理情報に基づいて、転写先の原稿についての新たな転写管理情報を生成する転写管理情報生成工程を備え、
前記転写画像生成工程においては、前記転写管理情報生成工程において生成される転写管理情報を、前記画像読取工程において読み取られた画像に画像情報として付加して、転写画像を生成することを特徴とする。
【００３２】
本発明に係る転写管理方法の第３の構成は、前記第１又は２の構成において、前記無線タグ情報読取工程又は前記印刷情報読取工程において前記転写管理情報が読み取られた場合、前記転写管理情報に含まれる識別ＩＤに基づき、識別ＩＤを含む著作物の転写利用に関する情報である転写利用情報の生成を行う転写利用情報生成工程と、
前記転写利用情報を転写利用情報記憶手段に保存する転写利用情報記録工程と、を備えたことを特徴とする。
【００３３】
本発明に係る転写管理方法の第４の構成は、前記第１乃至３の何れか一の構成において、前記転写画像生成工程においては、前記転写管理情報生成工程において生成される前記新たな転写管理情報を、前記画像読取手段により読み取られた画像に透かしデータとして付加して、転写画像を生成することを特徴とする。
【００３４】
本発明に係る転写管理方法の第５の構成は、前記第２の構成において、前記転写管理情報生成工程においては、前記無線タグ情報読取工程又は前記印刷情報読取工程において読み取られた前記転写管理情報に含まれる識別ＩＤに、新たに転写の情報を付加して新たな識別ＩＤを生成し、当該新たな識別ＩＤを含む、転写先の原稿についての新たな転写管理情報を生成することを特徴とする。
【００３５】
本発明に係るプログラムは、コンピュータに読み込ませて実行することにより、コンピュータを前記第１乃至５の何れか一の構成の転写管理システムとして機能させることを特徴とする。
【発明の効果】
【００３６】
以上のように、本発明によれば、オリジナルの原稿については無線タグに転写管理情報を記録しておくことで、当該原稿の転写管理を行うことが可能となるとともに、転写管理情報の付加によるオリジナルの原稿の印刷品質の低下が生じることはない。従って、印刷物の商品としての価値が低下することなく、転写利用管理を行うことができる。
【００３７】
一方、あまり高品質が要求されない転写物には、転写管理情報が画像情報として付加されるため、転写先の印刷媒体に無線タグが埋め込まれていない場合であっても、転写管理情報を転写先の原稿に印刷情報として付加することができる。従って、転写先の印刷媒体の種類が限定されることが無く、転写を行う利用者の利便性に優れた転写管理システム及び転写管理方法を提供できる。
【００３８】
また、転写が行われたときに、転写利用情報記憶手段に、転写元の原稿の識別ＩＤを含む転写利用情報を保存することで、当該原稿の著作物の利用者から転写利用に係る正当な利用料金を徴収することができる。また、著作物の利用者側からすると、転写利用を行った実態値を元に利用費を請求されるため、著作物を正規に利用することができる。
【００３９】
また、転写先の原稿に付加する新たな転写管理情報を生成する際に、転写元の転写管理情報に含まれる識別ＩＤ（以下「転写元ＩＤ」という。）に、新たに転写の情報を付加して新たな識別ＩＤを生成し、当該新たな識別ＩＤ（以下「転写先ＩＤ」という。）を含む、転写先の原稿についての新たな転写管理情報を生成することにより、転写先ＩＤには転写元ＩＤの情報が含まれるため、転写先ＩＤから転写元ＩＤを割り出すことが可能である。従って、オリジナルの原稿に対して転々と転写が行われた場合でも、転写先の原稿から転写元の原稿を辿ること（転写による著作物の流通履歴の追跡）が可能となるため、不正な転写が行われていないかどうかを後で検証することが可能となる。また、内部統制の整備において、文書流出などのリスクへの対応にも適応できる。
【００４０】
更に、販売管理の業務手順として、転写元原稿の著作物の提供時に著作物の登録を行う処理を追加し、販売著作物に組み込まれた転写管理情報と組み合わせることで、その著作物が誰に譲渡されたものなのかを把握することが可能となる。著作物の登録情報に著作物の購入者の情報及びその原稿の識別ＩＤも含めることで、転写元原稿の転写管理情報を読み取った場合に、その識別ＩＤをキーに購入者情報を読み出して、その購入者情報と著作物の保有者が同じか否かを比較して、盗難管理に適応することができる。
【発明を実施するための最良の形態】
【００４１】
以下、本発明を実施するための最良の形態について、図面を参照しながら説明する。
【実施例１】
【００４２】
処理する以下に本発明の処理方式について図面を用いて詳細に説明する。
【００４３】
〔１〕転写管理システム１のシステム構成
図１は、本発明の実施例１に係る転写管理システム１の全体構成を表す図である。本実施例に係る転写管理システム１は、転写機２、透かしデータ管理データベース３、転写利用者ＩＤ管理データベース４、著作物管理データベース５、著作権者管理データベース６、転写利用情報データベース７、課金集計システム１３、及び課金情報データベース１４を備えている。透かしデータ管理データベース３、転写利用者ＩＤ管理データベース４、著作物管理データベース５、著作権者管理データベース６、及び転写利用情報データベース７、課金集計システム１３、及び課金情報データベース１４は、転写機２と、ＬＡＮやインターネット等のネットワーク１０を介して接続されている。
【００４４】
転写元原稿１１は、著作物提供者Ａにより提供される著作物が印刷されている。また、転写元原稿１１には、無線タグ１２が埋め込まれており、この無線タグ１２には、著作物の転写を管理するための転写管理情報が記憶されている。転写管理情報には、転写元原稿１１を特定するためのＲＦＩＤ（Radio Frequency Identification）が含まれている。
【００４５】
また、転写利用者Ｂは無線タグ１２が付加された転写元原稿１１を転写機２で転写実行をすると、転写著作物が印刷された転写先原稿２１が得られる。転写先原稿２１の印刷媒体としては、通常の紙やＯＨＰシート等が用いられている。転写実行の際に、転写機２は、転写元原稿１１に印刷された画像（以下「元画像」という。）を読み取るとともに、無線タグ１２に記憶された転写管理情報を読み取る。そして、転写機２に組み込まれたプログラムにより、転写管理情報に基づいて透かしデータ２２を生成し、元画像に透かしデータ２２を埋め込む。そして、この元画像に透かしデータ２２が埋め込んで得られる転写画像を、転写先原稿２１に印刷する。
【００４６】
転写元原稿１１は、無線タグ１２が埋め込まれた原稿だけでなく、透かしデータ２２が印刷された原稿の場合でも、同様の操作方法で透かしデータが印刷された転写先原稿２１を出力することが可能となっている。
【００４７】
また、転写機２は、転写処理実行時には、透かしデータ管理データベース３にて利用実績情報を収集し、著作課金計算等に利用できる。
【００４８】
尚、図１において、透かしデータ管理データベース３は、透かしデータとそれに関連する各情報（利用者，転写機，転写枚数実績等）を集中的に登録・管理するためのデータベースである（後述の図５を参照）。転写利用者ＩＤ管理データベース４は、転写機２を利用する利用者に関する情報（利用者ID，利用者の利用区分等）を登録・管理するためのデータベースである（後述の図９を参照）。著作物管理データベース５は、各著作物に関する情報（著作物ID，著作権者ID等）を登録・管理するためのデータベースである（後述の図７を参照）。著作権者管理データベース６は、著作権者に関する情報（著作権者ＩＤ，著作権者氏名，振込口座等）を登録・管理するためのデータベースである（後述の図８を参照）。転写利用情報データベース７は、各著作物の転写利用の回数や課金情報等を集計・管理するためのデータベースである。課金情報データベース１４は、著作物管理データベース５に登録された各著作物に対して、その転写を行う際の料金に関する情報を格納するためのデータベースである。
【００４９】
課金集計システム１３は、各著作物及び各転写機２に対する著作物の転写利用の実績を集計し、各著作物に対する利用料収入額及び各転写機２に対する課金額を計算するシステムである。
【００５０】
図２は、図１の転写機２の機能構成を示すブロック図である。転写機２はコンピュータを内蔵しており、当該コンピュータに制御プログラムを実行させることによって図２の機能構成が実現される。
【００５１】
転写機２は、操作部４１、転写利用ＩＤ入力部４２、タイマ４３、一時記憶部４４、無線タグ情報読取部４５、無線タグ情報解析部４６、画像読取部４７、画像入力処理部４８、画像管理部４９、画像データベース５０、転写機ＩＤ出力部５１、印刷管理情報読取部５２、転写利用者ＩＤ管理部５３、転写管理情報生成部５４、転写管理情報記憶部５５、転写画像生成部５６、出力制御部５７、転写利用情報生成部５８、通信部５９、及び印刷部６０を備えている。
【００５２】
操作部４１は、転写利用者Ｂが転写機２を操作するための入力装置である。操作部４１は、ボタンスイッチやタッチパネルにより構成される。操作部４１からは、転写枚数や転写濃度といった転写に関する制御情報が入力される。
【００５３】
転写利用ＩＤ入力部４２は、転写利用者Ｂの操作により、当該転写利用者Ｂの転写利用者ＩＤを入力する。転写利用ＩＤ入力部４２は、転写利用者Ｂがキー操作等により直接入力する構成としてもよいし、転写利用者ＢがＩＣカードのような利用者カードやクレジットカード等を挿入することで転写利用ＩＤを自動的に読み取る構成としてもよい。タイマ４３は、転写利用者Ｂが転写操作を行った時刻を出力するための時計である。一時記憶部４４は、後述する転写管理処理において、転写枚数，転写時刻，利用者ＩＤ，転写機ＩＤ，ＲＦＩＤ管理ＩＤ，透かしデータ２２などを一時的に記憶するメモリである。
【００５４】
無線タグ情報読取部４５は、無線タグ１２の埋めこまれた転写元原稿１１の転写管理情報を読み取る。無線タグ情報読取部４５は、転写機に内蔵されたＲＦＩＤリーダにより構成される。無線タグ情報読取部４５が読み取った転写管理情報は、無線タグ情報解析部４６に渡される。無線タグ情報解析部４６は、無線タグ情報読取部４５から送られる転写管理情報のデータ内容を解析し、転写管理に必要な情報を抽出してその情報を一時記憶部４４に保存する。
【００５５】
画像読取部４７は、転写元原稿１１の画像を電子データ（以下「入力画像」という。）として読み込む。画像読取部４７は、スキャナやＣＣＤ（Charge Coupled Devices）などの画像読み取り装置により構成される。画像入力処理部４８は、入力画像の入力制御を行う。画像管理部４９は、入力画像の画像情報の管理制御を行う。画像データベース５０は入力画像を一旦蓄積し管理する機能を持つ。画像データベース５０は、転写機２内に備えられた磁気ディスク等のメモリにより構成される。
【００５６】
転写機ＩＤ出力部５１は、転写機２を識別するための機器個体識別情報（以下「転写機ＩＤ」という。）を出力し、一時記憶部４４に保存する。
【００５７】
印刷管理情報読取部５２は透かしデータを抽出し、著作物管理情報を取り出す。
【００５８】
転写利用者ＩＤ管理部５３は転写利用ＩＤ入力部４２から入力された転写利用者ＩＤに対応した利用条件を確認し転写処理の可否を判定する。転写管理情報生成部５４は転写機２が各種管理情報を出力する際に機器個体識別情報を含んだ透かしデータを生成し、転写管理情報記憶部５５に登録する。転写管理情報記憶部５５は、透かしデータを一時的に保存する。
【００５９】
転写画像生成部５６は、入力画像に透かしデータ２２を埋めこんで転写画像を生成し、出力制御部５７に渡す。出力制御部５７は転写画像生成部５６から入力される転写画像又は画像記憶部５０から読み出される入力画像の情報を元に印刷制御情報を作成し印刷部６０で印刷を実行する。
【００６０】
転写利用情報生成部５８は利用条件による転写の可否や、転写実績情報を管理する。
【００６１】
通信部５９は、透かしデータ管理データベース３，転写利用者ＩＤ管理データベース４，著作物管理データベース５，著作権者管理データベース６，及び転写利用情報データベース７と、転写機２との間の通信を制御する。印刷部６０は出力制御部５７より透かしデータ２２が組込まれた転写画像データを受け取り、転写先原稿２１に印刷出力する。
【００６２】
〔２〕データ構造及びデータベース構造
図３は、図２の画像データベース５０のテーブル・データ構造を表す図である。画像データベース５０は、画像読取部４７で読み込まれた入力画像を画像データとして一時的に保持するためのデータベースである。画像データベース５０のテーブルは、「画像管理ＩＤ」，「ＲＦＩＤ管理ＩＤ」，「透かしデータＩＤ」，及び「画像データ」の４つのフィールドを有する。「画像管理ＩＤ」フィールドが主キーとされる。「画像管理ＩＤ」フィールドは、更に「印刷JOB No.」フィールドと「通番」フィールドの２つの部分フィールドから構成されている。
【００６３】
「印刷JOB No.」は、画像読取部４７における画像読み込み処理毎に付番される番号である。ここでは、「印刷JOB No.」は、画像読み込み処理が行われた日時により生成されるものとする。例えば、画像読み込み処理が行われた日時が２００６年４月１日の１時０分０．１秒の場合、「印刷JOB No.」は、「200604010100001」のように生成される。「通番」は、１回の画像読み込み処理で連続して複数枚の入力画像が読み込まれた場合に、各入力画像に通し番号として付番される番号である。このように、画像データベース５０は、「印刷JOB No.」を集計単位とし、「通番」を付けて画像データが登録・管理される。
【００６４】
また、印刷時には「透かしデータＩＤ」をキーに透かしデータ管理データベース３を参照して透かしデータ２２を取得し、「印刷JOB No.」単位に透かしデータの組込み処理ができる様にされている。
【００６５】
また、無線タグ情報読取部４５が転写元原稿１１からＲＦＩＤを読込んだ場合には、読み込み時にＲＦＩＤ管理ＩＤが「ＲＦＩＤ管理ＩＤ」フィールドに登録される。このように、一時保管用でなく、ＲＦＩＤ管理ＩＤを全件保存することで、「ＲＦＩＤ管理ＩＤ」から転写を行ったイメージデータを特定することが可能となる。
【００６６】
図４は、無線タグ１２が埋め込まれた転写元原稿１１に付与されるＲＦＩＤのデータ構造を示す図である。ＲＦＩＤ管理ＩＤは、ＲＦＩＤを識別・特定するためにＩＤであり、全世界で一意的に付与されるＩＤである。本発明ではＲＦＩＤに著作情報を蓄積して管理するのではなく、著作物管理システム（図１，図２）で著作物情報を集中管理する方法を採る。そのため、ＲＦＩＤにはＲＦＩＤ管理ＩＤだけを保持させる。
【００６７】
図５は、透かしデータ管理データベース３のテーブル・データ構造を示す図である。透かしデータ管理データベース３は、転写出力する転写先原稿２１に組み込む透かしデータ２２を登録保持するためのデータベースである。転写管理システム１は、転写出力時に、この透かしデータ管理データベース３から情報を取得して、透かしデータ２２を入力画像データに埋め込んで転写画像を作成し印刷出力する。
【００６８】
透かしデータ管理データベース３のテーブルは、「ＲＦＩＤ管理ＩＤ」，「透かしデータＩＤ」，「利用者ＩＤ」，「転写機ＩＤ」，「転写枚数実績」，及び「転写処理日時」の６つのフィールドを有する。
【００６９】
「ＲＦＩＤ管理ＩＤ」フィールドには、透かしデータに組み入れられるＲＦＩＤ管理ＩＤが格納される。「透かしデータＩＤ」フィールドには、各透かしデータを識別・特定するための「透かしデータＩＤ」が格納される。「透かしデータＩＤ」は、「新透かしデータＩＤ」と「旧透かしデータＩＤ」との組み合わせにより構成されている。「新透かしデータＩＤ」は、各透かしデータに対して新たに生成されるＩＤである。また、「旧透かしデータＩＤ」には、転写元原稿１１の透かしデータＩＤに含まれる「新透かしデータＩＤ」が登録される。このように、本実施例においては、「透かしデータＩＤ」に「旧透かしデータＩＤ」の情報を含ませることで、二次、三次、四次と転々と転写される各転写原稿から、転写元の原稿を辿ることが可能となる。すなわち、「旧透かしデータＩＤ」から、印刷履歴をバックトレースすることが可能であり、最終的にはＲＦＩＤの組込まれた一次著作物にたどり着くことができる。これにより、任意の転写原稿から、誰が、いつ、どこで、何を転写したものかをトレースすることが可能となり、著作権管理や秘密漏洩経路の追跡が可能となる。
【００７０】
「利用者ＩＤ」フィールドには、転写を行った転写利用者Ｂの利用者ＩＤが格納される。「転写機ＩＤ」フィールドには、転写元原稿１１の転写を行う転写機２の転写機ＩＤが格納される。「転写枚数実績」フィールドには、転写が行われた枚数が格納される。この転写枚数実績を参照することにより、著作物の転写利用に対する課金額を正確に計算することができる。「転写処理日時」フィールドには、転写が行われた日時が格納される。
【００７１】
図６は、転写画像の透かしデータに組込まれる転写管理情報のデータ構造を表す図である。透かしデータには、「透かしデータＩＤ」，「ＲＦＩＤ管理ＩＤ」，「利用者ＩＤ」，「転写機ＩＤ」，及び「転写処理日時」の各情報が組み込まれる。転写画像には、この構造の転写管理情報が、透かしデータとして埋めこまれる。
【００７２】
「透かしデータＩＤ」は、図５で説明したように、「新透かしデータＩＤ」と「旧透かしデータＩＤ」との組み合わせである。このような「透かしデータＩＤ」を透かしデータとして転写画像に埋め込むことで、転写画像に基づき転写元の書類を特定することが可能となる。従って、仮に秘密書類が漏洩した場合に、「透かしデータＩＤ」を辿ることでその漏洩ルートを辿ることも可能とされている。
【００７３】
尚、本実施例においては、転写画像に埋め込む透かしデータには「透かしデータＩＤ」（図５参照）を含ませることとしたが、「旧透かしデータＩＤ」は省略して「新透かしデータＩＤ」のみを含ませるようにしてもよい。
【００７４】
図７は、著作物管理データベース５のテーブル・データ構造を示す図である。著作物管理データベース５のテーブルは、「著作物ＩＤ」，「ＲＦＩＤ管理ＩＤ」，「著作権者ＩＤ」，及び「転写管理データ」の４つのフィールドを有する。「著作物ＩＤ」フィールドには、転写が行われた転写元原稿１１に印刷された著作物を特定するための著作物ＩＤが格納される。「ＲＦＩＤ管理ＩＤ」フィールドには、転写元原稿１１の転写管理情報に含まれるＲＦＩＤ管理ＩＤが格納される。「著作権者ＩＤ」フィールドには、転写元原稿１１に印刷された著作物の著作権者を特定するための著作権者ＩＤが格納される。「転写管理データ」フィールドには、転写利用可否判定のための利用区分や、著作料計算のための転写単価情報などを含む転写管理データが格納される。
【００７５】
図８は、著作権者管理データベース６のテーブル・データ構成を示す図である。著作権者管理データベース６は、著作権者ＩＤをキーとして著作権者への著作料送金に必要な情報を保持するためのデータベースである。著作権者管理データベース６のテーブルは、「著作権者ＩＤ」，「著作権者名」，「住所」，及び「振込口座」の４つのフィールドを有する。「著作権者ＩＤ」フィールドには、転写元原稿１１に印刷された著作物の著作権者を特定するための著作権者ＩＤが格納される。「著作権者名」フィールドには、著作権者ＩＤに対応する著作権者の氏名情報が格納される。「住所」フィールドには、当該著作権者の住所情報が格納される。「振込口座」フィールドには、当該著作権者に対して転写利用料金を支払う場合の振込先口座の口座番号が格納される。
【００７６】
図９は、転写利用者ＩＤ管理データベース４のテーブル・データ構造を示す図である。転写利用者ＩＤ管理データベース４は、上記、著作物管理データベース５とともに使用することで利用者の転写可否の判定を行うために使用されるデータベースである。著作物管理データベース５に登録されている利用区分と同じ利用区分を、本ＤＢの利用区分の中で検索し、利用が可能な状態として登録してあれば転写可能であると判定するように使用する。ここで、「利用区分」とは、転写利用者Ｂの著作物の利用権限を管理するために各転写利用者Ｂに付される区分である。
【００７７】
転写利用者ＩＤ管理データベース４のテーブルは、「利用者ＩＤ」フィールド、各利用区分に対して設けられた「利用区分」フィールド、及び「転写利用者情報」フィールドを有する。「利用者ＩＤ」フィールドには、各転写利用者Ｂの利用者ＩＤが格納される。「利用区分」フィールドには、上述のように、各利用者の利用区分が格納される。「転写利用者情報」フィールドには、各転写利用者Ｂに関する追加的な情報が格納される。
【００７８】
図１０は、課金情報データベース１４のテーブル・データ構造を示す図である。課金情報データベース１４は、「RFID管理ID」，「転写世代」，及び「転写単価」の３つのフィールドから構成されている。
【００７９】
「RFID管理ID」フィールドには、無線タグ又は透かしデータの転写管理情報に組み入れられるＲＦＩＤ管理ＩＤが格納される。課金情報データベース１４の各レコードは、この「RFID管理ID」を介して、著作物管理データベース５に登録された著作物情報と１対１に対応している。
【００８０】
「転写世代」フィールドには、転写物の世代数（以下「転写世代」という。）が格納される。ここで、「転写世代」とは、オリジナル原稿からある転写物が得られるまでに行われた転写の回数をいう。例えば、最初にオリジナル原稿を転写して得られた転写物の転写世代は１、更にその転写物を転写して得られた転写物の転写世代は２となる。
【００８１】
「転写単価」フィールドには、「RFID管理ID」フィールド及び「転写世代」フィールドにより特定される特定の著作物の特定の転写世代に対する転写利用の単価が格納される。例えば、図１０においては、RFID管理ID「R0001」により特定される著作物の転写利用の単価は、転写世代１の場合が１００円，転写世代２の場合が５０円，転写世代３以上の場合が３０円に設定されている。一般に、転写物は完全にオリジナル原稿の転写はされず、転写を繰り返すことにより転写物の画質は低下する。そこで、「転写世代」フィールドを使用することによって、転写による画質の低下を考慮して、転写利用料金に差をつけて設定することが可能とされている。
【００８２】
図１１は、転写利用情報データベース７のテーブル・データ構造を示す図である。転写利用情報データベース７には、図１１に示したように、著作物別収入集計テーブル（ａ）と、転写装置別収入集計テーブル（ｂ）との２つのテーブルが格納されている。
【００８３】
著作物別収入集計テーブル（ａ）は、著作物別に転写利用による収入額を集計するテーブルであり、「RFID管理ID」フィールド，「収入額」フィールド，及び「著作権者」フィールドの３つのフィールドにより構成されている。
【００８４】
「RFID管理ID」フィールドには、無線タグ又は透かしデータの転写管理情報に組み入れられるＲＦＩＤ管理ＩＤが格納される。著作物別収入集計テーブル（ａ）の各レコードは、この「RFID管理ID」を介して、著作物管理データベース５に登録された著作物情報と１対１に対応している。「収入額」フィールドには、RFID管理IDにより特定される著作物毎の複写利用による収入額が格納される。「著作権者」フィールドには、RFID管理IDにより特定される著作物の著作権者ＩＤが格納される。
【００８５】
一方、転写装置別収入集計テーブル（ｂ）は、転写機別に転写利用による課金額を集計するテーブルであり、「転写機ID」フィールド及び「課金額」フィールドの２つのフィールドにより構成されている。「転写機ID」フィールドには、各転写機２の転写機IDが格納される。また、「課金額」フィールドには、各転写機２により著作物の転写利用がされたことにより発生した課金額の合計額が格納される。
【００８６】
〔３〕著作物提供システム８のシステム構成
図１２は、実施例１に係る著作物提供システム８の概要図である。著作物提供システム８は、ＲＦＩＤ管理システム７１，著作物管理データベース５，及び著作権者管理データベース６を有し、各構成部分はネットワーク１０により接続されている。尚、著作物管理データベース５，及び著作権者管理データベース６は、図１の転写管理システム１と共通に用いられる。
【００８７】
ＲＦＩＤ管理システム７１は、無線タグ１２が埋め込まれた転写元原稿１１から、無線タグ１２に記憶されたＲＦＩＤ情報を読み出す。そして、転写利用条件などを含む著作物情報を著作物管理データベース５に、著作権者名，住所などの情報を著作権者管理データベース６に登録する。
【００８８】
〔４〕著作物提供システム８における著作物登録処理
以上のように構成された実施例１に係る転写管理システム１及び著作物提供システム８において、以下その動作を説明する。
【００８９】
まず、著作物提供システム８による著作物の登録処理を図７，図８，図１２，及び図１３を参照しながら説明する。図１３は、著作物提供システム８による著作物の登録処理を表すフローチャートである。
【００９０】
まず、ステップＳ１において、著作物提供者Ａは、ＲＦＩＤ管理システム７１に対して、自己の氏名又は自己の著作権者ＩＤを入力する。
【００９１】
ステップＳ２において、ＲＦＩＤ管理システム７１は、ネットワーク１０を介して、著作権者管理データベース６を参照し、入力された著作物提供者Ａの氏名又は著作権者ＩＤが著作権者管理データベース６のテーブル内に存在するか否かを調べる。登録済みであれば、次のステップＳ３に進み、未登録であればステップＳ４に進む。
【００９２】
ステップＳ３において、ＲＦＩＤ管理システム７１は、著作権者管理データベース６のテーブルから、著作物提供者Ａの氏名又は著作権者ＩＤに対応するレコードを読み出して、著作物提供者Ａの著作権者ＩＤ，著作権者名，住所，及び振込口座の情報を記憶する。そして、ステップＳ６へ移行する。
【００９３】
一方、著作物提供者Ａが未登録の場合、ステップＳ４において、ＲＦＩＤ管理システム７１は著作物提供者Ａの著作権者ＩＤを新たに発行する。そして、著作物提供者Ａは、ＲＦＩＤ管理システム７１に対して、自己の住所，及び振込口座の情報を入力する。ステップＳ５において、ＲＦＩＤ管理システム７１は、著作物提供者Ａの著作権者ＩＤ，著作権者名，住所，及び振込口座の情報を著作権者管理データベース６のテーブルに追加登録する。そして、次のステップＳ６へ移行する。
【００９４】
ステップＳ６において、著作物提供者ＡがＲＦＩＤ管理システム７１の無線タグ読み取り装置（図示せず）に転写元原稿１１を掲げ、ＲＦＩＤ管理システム７１は、ＲＦＩＤ管理ＩＤ等の無線タグ情報を読み込む。
【００９５】
ステップＳ７において、著作物提供者Ａは、ＲＦＩＤ管理システム７１に対して、転写元原稿１１に印刷された著作物の転写管理データ（利用区分，転写単価等）を入力する。
【００９６】
最後に、ステップＳ８において、ＲＦＩＤ管理システム７１は、取得したＲＦＩＤ管理ＩＤ，著作物ＩＤ，著作権者ＩＤ，転写利用に関する転写管理データを著作物管理データベース５に登録する。
【００９７】
以上の処理により、転写元原稿１１の著作物の関する情報が、著作物管理データベース５に登録され、転写における著作権利用料の課金等の管理が可能となる。
【００９８】
〔５〕転写管理システム１における転写管理処理
次に、転写管理システム１による転写管理処理について説明する。図１４，図１５は、転写管理システム１による転写管理処理を表すフローチャートである。図１６は、無線タグ１２が組込まれた転写元原稿１１を転写する際の転写管理処理の概要図である。図１７は、透かしデータ２２が組込まれた転写元原稿１１を転写する際の転写管理処理の概要図である。
【００９９】
まず、ステップＳ１０において、転写利用者Ｂは、転写機２の操作部４１から利用者ＩＤを入力する。利用者ＩＤの入力の仕方としては、キーボタンの操作により入力する方法の他、利用者ＩＤが記憶された転写利用者ＢのＩＣカードを操作部４１から読み込ませる方法を採ることができる。転写利用ＩＤ入力部４２は、転写利用者Ｂが操作部４１で入力した利用者ＩＤを受け取り、転写機２の一時記憶部４４に保存する。
【０１００】
ステップＳ１１において、転写利用者Ｂは、転写機２の操作部４１から転写枚数を入力する。入力された転写枚数は、転写機２の一時記憶部４４に保存される。
【０１０１】
ステップＳ１２において、転写利用者Ｂは、転写元原稿１１を画像読取部４７の光学読み取り面（以下「原稿台」という。）又はオートシートフィーダに設置し、操作部４１から転写開始指示を入力する。転写開始指示が入力されると、転写元原稿１１がオートシートフィーダにセットされている場合には原稿台に移送される。そして、まず、無線タグ情報読取部４５が、転写元原稿１１の無線タグ１２に対して読み出し信号を送信し、無線タグ情報の読み取りを試みる。
【０１０２】
転写元原稿１１に無線タグ１２が埋め込まれており、無線タグ情報読取部４５において無線タグ情報が読み取られた場合には、無線タグ情報解析部４６は、当該無線タグ情報を解析してＲＦＩＤ管理ＩＤを取得し、転写機２の一時記憶部４４に保存する。
【０１０３】
次に、ステップＳ１３において、画像読取部４７は、原稿台に置かれた転写元原稿１１の表面を光学的に走査し、画像イメージを取り込む。
【０１０４】
ステップＳ１４において、画像入力処理部４８は、ステップＳ１３において取り込まれた画像イメージをメージデータ（入力画像データ）に変換する。画像管理部４９は、この入力画像データを画像データベース５０に登録する。このとき、画像管理部４９は、画像データベース５０のテーブルに、印刷JOB No.、通番、画像データを登録する（図３参照）。
【０１０５】
ステップＳ１５において、画像読取部４７は、すべての入力画像データが取り込まれたか否かを判定し、まだ入力画像データがすべて取り込まれていない場合には、ステップＳ１３に戻る。すべての入力画像データが取り込まれていれば、次のステップS１６に移行する。
【０１０６】
ステップＳ１６において、印刷管理情報読取部５２は、一時記憶部４４にＲＦＩＤ管理ＩＤが取り込まれているか否かを判定する。ＲＦＩＤ管理ＩＤが取り込まれていた場合には、印刷管理情報読取部５２は、画像データから透かしデータを解析する処理はせず、透かしデータ転写利用可否判定（ステップＳ１９）の処理へ移行する。一方、ＲＦＩＤ管理ＩＤが取り込まれていない場合（即ち、転写元原稿１１に無線タグ１２が埋め込まれていない場合）には、次の転写元原稿１１に透かしデータが存在するかを確認する処理（ステップＳ１７）へ移行する。
【０１０７】
ステップＳ１７において、印刷管理情報読取部５２は、画像データベース５０に登録された入力画像データを読み出す。そして、入力画像データを解析し、透かしデータが登録してあるかを確認する。透かしデータが存在している場合は、印刷管理情報読取部５２は、透かしデータを一時記憶部４４に保存する。
【０１０８】
ステップＳ１８において、入力画像データに透かしデータが埋め込まれていない場合には、無線タグ情報も透かしデータも存在しないことになり、転写物は管理著作物でないと判断される。ここで、ＲＦＩＤも透かしデータもない場合においては、転写処理不能として操作部４１にメッセージを表示して印刷を中止させるか、管理すべき著作物でないとしてそのまま印刷実行させるかいずれの処理も可能となる。本実施例１においては、後者の処理を行うこととし、ステップＳ２４の印刷処理に移行する。
【０１０９】
ステップＳ１９において、転写利用者ＩＤ管理部５３は、転写実行可否判断処理を行う。まず、転写利用者ＩＤ管理部５３は、著作物の利用条件情報を取得する。これは、一時記憶部４４に一時保存していたＲＦＩＤ管理ＩＤを使用して、著作物管理データベース５のテーブルを、ＲＦＩＤ管理ＩＤを検索キーとして検索し、検索キーに対応する転写管理データを取得する（図７参照）。そして、その転写管理データから登録されている利用区分を取得する。一方、転写利用者ＩＤ管理部５３は、一時記憶部４４に一時保存している利用者ＩＤを使用して、当該利用者ＩＤを検索キーとして転写利用者ＩＤ管理データベース４のテーブルを検索する。利用者ＩＤが転写利用者ＩＤ管理データベース４に登録があり、その利用者ＩＤに対応して登録されている「利用区分」フィールドにおいて、著作物管理データベース５から抽出された転写管理データの利用区分と同じ利用区分が利用可の状態である場合に、転写許可と判定する。それ以外は、転写不許可と判定する。
【０１１０】
ステップＳ２０において、転写不許可と判定された場合は、転写機２は、印刷処理を行うことなく終了する。転写許可の場合には、次のステップＳ２１に進む。
【０１１１】
ステップＳ２１において、転写機ＩＤ出力部５１は、転写機２のもつ転写機ＩＤを取得し、一時記憶部４４に保存する。
【０１１２】
ステップＳ２２において、転写管理情報生成部５４は、透かしデータに使用する透かしデータ管理情報の生成を行い、ネットワーク１０を通じて透かしデータ管理データベース３に登録する（図５参照）。ここで、新たに登録する転写管理情報のレコード（以下「新規登録レコード」という。）の「ＲＦＩＤ管理ＩＤ」フィールド，「利用者ＩＤ」フィールド，「転写機ＩＤ」フィールド，及び「転写処理枚数実績」フィールドには、一時記憶部４４に一時保存しておいた値を登録する。また、透かしデータ管理データベース３の「透かしデータＩＤ」フィールドの「新透かしデータＩＤ」を検査し、登録済みの「新透かしデータＩＤ」のうち最終番の新透かしデータＩＤを取得する。そして、その最終番の新透かしデータＩＤの次の番号を新規登録レコードの「新透かしデータＩＤ」フィールドに登録する。また、新規登録レコードの「旧透かしデータＩＤ」フィールドには、転写元原稿１１から電子タグ情報を読込んだ場合には初期値を登録する。転写元原稿１１から透かしデータを読み込んだ場合には、転写元原稿１１から読込んで一時保存しておいた透かしデータＩＤを登録する。また、新規登録レコードの「転写処理日時」フィールドには、転写処理実行ボタンを押した日時を登録する。
【０１１３】
また、この新規登録レコードで新たに発行した透かしデータＩＤ（新透かしデータＩＤ＋旧透かしデータＩＤ）を、画像データベース５０のテーブル内の、ＲＦＩＤ管理ＩＤが対応するレコードの「透かしデータＩＤ」フィールドに登録しておく。これは入力画像データに透かしデータ２２を組み込むときに、画像データベース５０と透かしデータ管理データベース３を透かしデータＩＤで関連づけて入力画像情報に透かしデータ２２を埋め込むことを実現するためである。
【０１１４】
ステップＳ２３において、転写画像生成部５６は、透かしデータ管理データベース３のテーブルから、転写管理情報（図６参照）のすべてのフィールドに対応する情報を取得する。そして、取得した転写管理情報の「透かしデータＩＤ」を検索キーとして、画像データベース５０を検索し、抽出されたレコードを読み込んで「透かしデータＩＤ」に対応する「画像データ」を取得する。次いで、転写画像生成部５６は、この画像データに転写管理情報を透かしデータとして組み込んで、転写画像を生成する。そして、出力制御部５７に印刷依頼を発行する。
【０１１５】
ステップＳ２４において、出力制御部５７は、印刷部６０に転写画像を送信する。印刷部６０は、透かしデータが組込まれた転写画像を転写先原稿２１に印刷し、一連の処理を終了する。
【０１１６】
〔６〕課金集計システム１３における課金集計処理
最後に、著作物を転写利用した場合の課金処理について説明する。
【０１１７】
課金情報は、転写処理ごとにトランザクションデータとして登録している透かしデータ管理データベース３より提供が可能となっている。著作権者毎の著作料金計算は、ＲＦＩＤ管理ＩＤをキーに、著作物管理データベース５のテーブル内のレコードを読み込んで、著作権者ＩＤを取得し、この著作権者ＩＤ毎に著作料の計算を行う。これにより、転写数量に応じて正確に著作物の転写利用料金を課金することができる。
【０１１８】
図１８は、課金集計システム１３における課金集計処理の流れを表すフローチャートである。
【０１１９】
まず、転写機２において著作物の転写が行われると、上述の転写管理処理によって透かしデータ管理データベース３にレコードが追加される。課金集計システム１３は、透かしデータ管理データベース３の更新を監視しており（Ｓ３１）、更新がされると、以下のステップＳ３２以下の動作を行う。
【０１２０】
ステップＳ３２において、課金集計システム１３は、透かしデータ管理データベース３から、更新（追加）されたレコードのデータ（ＲＦＩＤ管理ＩＤ，透かしデータＩＤ（新透かしデータID，旧透かしデータID），利用者ＩＤ，転写機ＩＤ，転写枚数実績，転写処理日時）を取得する。以下、更新（追加）されたレコードのＲＦＩＤ管理ＩＤをＲＦＩＤ管理ＩＤ（ｎ）、当該レコードの転写機ＩＤを転写機ＩＤ（ｍ），当該レコードの転写枚数実績をｐと記す。
【０１２１】
ステップＳ３３において、課金集計システム１３は、著作物管理データベース５から、ＲＦＩＤ管理ＩＤ（ｎ）に対応する著作権者ＩＤを取得する。
【０１２２】
ステップＳ３４において、課金集計システム１３は、転写利用情報データベース７の著作物別収入集計テーブルから、ＲＦＩＤ管理ＩＤ（ｎ）に対応する収入額Ｘ（ｎ）を取得する。また、転写利用情報データベース７の転写装置別収入集計テーブルから、転写機ＩＤ（ｍ）に対応する課金額Ｙ（ｍ）を取得する。
【０１２３】
ステップＳ３５において、課金集計システム１３は、課金情報データベース１４より、ＲＦＩＤ管理ＩＤ（ｎ）に対応する転写単価Ｕ（ｎ，ｇ）を取得する。ここで、ｇは転写世代を表し、転写世代によって複数の転写単価が設定されている場合には、各転写世代の転写単価Ｕ（ｎ，ｇ）を取得する。
【０１２４】
ステップＳ３６において、課金集計システム１３は、ステップＳ３２で取得したレコードに対する転写利用料金Ｃを計算する。この計算は、次のようにして行われる。
まず、ステップＳ３２で取得されたレコードの転写世代ｇｒをステップＳ３２で取得されたレコードの転写世代ｇｒを決定する。これは、次のような処理により行えばよい。
（１）まずｇｒを１に設定する。次に、当該レコードの旧透かしデータIDを検査し、旧透かしデータIDが設定されていない場合にはｇｒを現在の値に決定する。
（２）一方、旧透かしデータIDが設定されている場合には、ｇｒの値を１だけ追加し、その旧透かしデータIDを検索キーとして、透かしデータ管理データベース３の「新透かしデータＩＤ」フィールドを検索する。
（３）そして、検索により得られたレコードの旧透かしデータIDを検査し、旧透かしデータIDが設定されていない場合にはｇｒを現在の値に決定する。
（４）当該レコードの旧透かしデータIDが設定されている場合には、（２）以下の動作を繰り返す。
【０１２５】
こうして得られた転写世代ｇｒとＲＦＩＤ管理ＩＤ（ｎ）に基づき、転写単価Ｕ（ｎ，ｇｒ）が決定される。この転写単価Ｕ（ｎ，ｇｒ）に転写枚数実績ｐをかけることで、転写利用料金Ｃ＝Ｕ（ｎ，ｇｒ）×ｐが計算される。
【０１２６】
ステップＳ３７において、課金集計システム１３は、ネットワーク１０を介して、転写機２に転写利用料金Ｃを送信する。転写機２の側では、受信した転写利用料金Ｃに基づいて利用者に課金することができる。
【０１２７】
ステップＳ３８において、課金集計システム１３は、ＲＦＩＤ管理ＩＤ（ｎ）に対応する収入額Ｘ（ｎ）に転写利用料金Ｃを加算して、転写利用情報データベース７の著作物別収入集計テーブルのＲＦＩＤ管理ＩＤ（ｎ）に対応するレコードの「収入額」フィールドを更新する。
【０１２８】
ステップＳ３９において、課金集計システム１３は、転写機ＩＤ（ｍ）に対応する収入額Ｙ（ｍ）に転写利用料金Ｃを加算して、転写利用情報データベース７の転写装置別収入集計テーブルの転写機ＩＤ（ｍ）に対応するレコードの「課金額」フィールドを更新する。そして、ステップＳ３１に戻る。
【０１２９】
以上のようにして、課金集計システム１３は、各著作物及び各複写機毎に収入額集計及び課金集計を行い、転写利用情報データベース７の更新を行う。
【実施例２】
【０１３０】
実施例２における転写管理システム１の構成は、透かしデータ管理データベース３のテーブル構造を除いて実施例１と同様であるため、同様な部分の説明は省略する。
【０１３１】
図１９に、実施例２の透かしデータ管理データベース３のテーブル構造を示す。実施例１では、「透かしデータＩＤ」フィールドが「新透かしデータＩＤ」と「旧透かしデータＩＤ」とによって構成されていたのに対して、本実施例では、「透かしデータＩＤ」フィールドは「新透かしデータＩＤ」のみにより構成されている点で異なっている。
【０１３２】
この実施例２における転写管理システム１の転写管理処理は、ステップＳ２２（図１３参照）を除いて実施例１と同様である。本実施例では、ステップＳ２２において、転写管理情報生成部５４は、転写元原稿１１から電子タグ情報を読み込んだ場合には、新たな「透かしデータＩＤ」を発行するが、それ以外の場合には新たな「透かしデータＩＤ」を発行しない。すなわち、転写元原稿１１の入力画像データから透かしデータが読み取られた場合には、新たな「透かしデータＩＤ」を発行せずに、その透かしデータに含まれている透かしデータＩＤを、転写先原稿に付加する「透かしデータＩＤ」とする。
【０１３３】
このような構成にすると、実施例１で説明したような転写世代別に転写単価を設定することはできなくなる。また、透かしデータに含まれる「透かしデータＩＤ」に基づいて転写元の原稿をバックトレースすることもできなくなる。
【０１３４】
しかしながら、透かしデータに付加すべき情報量が少なくなり、データの管理も簡単化される。従って、転写世代別に転写単価を設定する必要がない場合や、転写元の原稿をバックトレースする必要がない場合には、本実施例のような簡略化した構成とすることも可能である。
【図面の簡単な説明】
【０１３５】
【図１】本発明の実施例１に係る転写管理システムの全体構成を表す図である。
【図２】図１の転写機２の機能構成を示すブロック図である。
【図３】図２の画像データベース５０のテーブル・データ構造を表す図である。
【図４】無線タグ１２が埋め込まれた転写元原稿１１に付与されるＲＦＩＤのデータ構造を示す図である。
【図５】透かしデータ管理データベース３のテーブル・データ構造を示す図である。
【図６】透かしデータに組込まれる転写管理情報のデータ構造を表す図である。
【図７】著作物管理データベース５のテーブル・データ構造を示す図である。
【図８】著作権者管理データベース６のテーブル・データ構成を示す図である。
【図９】転写利用者ＩＤ管理データベース４のテーブル・データ構造を示す図である。
【図１０】課金情報データベース１４のテーブル・データ構造を示す図である。
【図１１】転写利用情報データベース７のテーブル・データ構造を示す図である。
【図１２】実施例１に係る著作物提供システムの概要図である。
【図１３】著作物提供システム８による著作物の登録処理を表すフローチャートである。
【図１４】転写管理システム１による転写管理処理を表すフローチャートである。
【図１５】転写管理システム１による転写管理処理を表すフローチャートである。
【図１６】無線タグ１２が組込まれた転写元原稿１１を転写する際の転写管理処理の概要図である。
【図１７】透かしデータ２２が組込まれた転写元原稿１１を転写する際の転写管理処理の概要図である。
【図１８】課金集計システム１３における課金集計処理の流れを表すフローチャートである。
【図１９】実施例２における透かし管理データベース３のテーブル構造を表す図である。
【符号の説明】
【０１３６】
１  転写管理システム
２  転写機
３  透かしデータ管理データベース
４  転写利用者ＩＤ管理データベース
５  著作物管理データベース
６  著作権者管理データベース
７  転写利用情報データベース
８  著作物提供システム
１０  ネットワーク
１１  転写元原稿
１２  無線タグ
１３  課金集計システム
１４  課金情報データベース
２１  転写先原稿
２２  透かしデータ
４１  操作部
４２  転写利用ＩＤ入力部
４３  タイマ
４４  一時記憶部
４５  無線タグ情報読取部
４６  無線タグ情報解析部
４７  画像読取部
４８  画像入力処理部
４９  画像管理部
５０  画像データベース
５１  転写機ＩＤ出力部
５２  印刷管理情報読取部
５３  転写利用者ＩＤ管理部
５４  転写管理情報生成部
５５  転写管理情報記憶部
５６  転写画像生成部
５７  出力制御部
５８  転写利用情報生成部
５９  通信部
６０  印刷部
７１  ＲＦＩＤ管理システム
Ａ  著作物提供者
Ｂ  転写利用者
【図１】
2008059213.tif 000003
【図２】
2008059213.tif 000004
【図３】
2008059213.tif 000005
【図４】
2008059213.tif 000006
【図５】
2008059213.tif 000007
【図６】
2008059213.tif 000008
【図７】
2008059213.tif 000009
【図８】
2008059213.tif 000010
【図９】
2008059213.tif 000011
【図１０】
2008059213.tif 000012
【図１１】
2008059213.tif 000013
【図１２】
2008059213.tif 000014
【図１３】
2008059213.tif 000015
【図１４】
2008059213.tif 000016
【図１５】
2008059213.tif 000017
【図１６】
2008059213.tif 000018
【図１７】
2008059213.tif 000019
【図１８】
2008059213.tif 000020
【図１９】
2008059213.tif 000021
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
転写元の原稿上の画像情報を読み取り転写先の印刷媒体に印刷するとともに、転写元の原稿上の画像情報に関する転写管理情報の転写、変換、又は生成、及び転写先の原稿への付加を行う転写管理システムであって、
転写元の原稿上の画像情報を読み取る画像読取手段と、
前記転写元の原稿に無線タグが付加されている場合に、その無線タグに記録された転写管理情報を読み取る無線タグ情報読取手段と、
前記転写元の原稿に転写管理情報が印刷されている場合に、その印刷された転写管理情報を読み取る印刷管理情報読取手段と、
前記無線タグ情報読取手段又は前記転写管理情報読取手段が読み取る転写管理情報を、前記画像読取手段により読み取られた画像に画像情報として付加して、転写画像を生成する転写画像生成手段と、
前記転写画像を転写先の印刷媒体に印刷する印刷手段と、
を備えた転写管理システム。
【請求項２】
前記無線タグ情報読取手段又は前記印刷管理情報読取手段により前記転写管理情報が読み取られた場合、前記転写管理情報に基づいて、転写先の原稿についての新たな転写管理情報を生成する転写管理情報生成手段を備え、
前記転写画像生成手段は、転写管理情報生成手段が生成する転写管理情報を、前記画像読取手段により読み取られた画像に画像情報として付加して、転写画像を生成することを特徴とする請求項１記載の転写管理システム。
【請求項３】
前記無線タグ情報読取手段又は前記印刷管理情報読取手段により前記転写管理情報が読み取られた場合、前記転写管理情報に含まれる識別ＩＤに基づき、識別ＩＤを含む著作物の転写利用に関する情報である転写利用情報の生成を行う転写利用情報生成手段と、
前記転写利用情報を記憶する転写利用情報記憶手段と、
を備えたことを特徴とする請求項１又は２記載の転写管理システム。
【請求項４】
前記転写画像生成手段は、前記転写管理情報を、前記画像読取手段により読み取られた画像に透かしデータとして付加して、転写画像を生成することを特徴とする請求項１乃至３の何れか一記載の転写管理システム。
【請求項５】
前記転写管理情報生成手段は、前記無線タグ情報読取手段又は前記印刷管理情報読取手段により読み取られた前記転写管理情報に含まれる識別ＩＤに、新たに転写の情報を付加して新たな識別ＩＤを生成し、当該新たな識別ＩＤを含む、転写先の原稿についての新たな転写管理情報を生成することを特徴とする請求項２記載の転写管理システム。
【請求項６】
転写元の原稿上の画像情報を読み取り転写先の印刷媒体に印刷するとともに、転写元の原稿上の画像情報に関する転写管理情報の転写、変換、又は生成、及び転写先の原稿への付加を行う転写管理方法であって、
転写元の原稿上の画像情報を読み取る画像読取工程と、
前記転写元の原稿に無線タグが付加されている場合に、その無線タグに記録された転写管理情報を読み取る無線タグ情報読取工程と、
前記転写元の原稿に転写管理情報が印刷されている場合に、その印刷された転写管理情報を読み取る印刷情報読取工程と、
前記無線タグ情報読取工程又は前記印刷情報読取工程において読み取られる前記転写管理情報を、前記画像読取工程において読み取られた画像に画像情報として付加して、転写画像を生成する転写画像生成工程と、
前記転写画像を転写先の印刷媒体に印刷する印刷工程と、
を備えた転写管理方法。
【請求項７】
前記無線タグ情報読取工程又は前記印刷情報読取工程において前記転写管理情報が読み取られた場合、前記転写管理情報に基づいて、転写先の原稿についての新たな転写管理情報を生成する転写管理情報生成工程を備え、
前記転写画像生成工程においては、前記転写管理情報生成工程において生成される転写管理情報を、前記画像読取工程において読み取られた画像に画像情報として付加して、転写画像を生成することを特徴とする請求項６記載の転写管理方法。
【請求項８】
前記無線タグ情報読取工程又は前記印刷情報読取工程において前記転写管理情報が読み取られた場合、前記転写管理情報に含まれる識別ＩＤに基づき、著作物の転写利用に関する情報である転写利用情報の生成を行う転写利用情報生成工程と、
前記転写利用情報を転写利用情報記憶手段に保存する転写利用情報記録工程と、
を備えたことを特徴とする請求項６又は７記載の転写管理方法。
【請求項９】
前記転写画像生成工程においては、前記転写管理情報生成工程において生成される前記新たな転写管理情報を、前記画像読取手段により読み取られた画像に透かしデータとして付加して、転写画像を生成することを特徴とする請求項６乃至８の何れか一記載の転写管理方法。
【請求項１０】
前記転写管理情報生成工程においては、前記無線タグ情報読取工程又は前記印刷情報読取工程において読み取られた前記転写管理情報に含まれる識別ＩＤに、新たに転写の情報を付加して新たな識別ＩＤを生成し、当該新たな識別ＩＤを含む、転写先の原稿についての新たな転写管理情報を生成することを特徴とする請求項７記載の転写管理方法。
【請求項１１】
コンピュータに読み込ませて実行することにより、コンピュータを請求項１乃至５の何れか一に記載の転写管理システムとして機能させることを特徴とするプログラム。